(57)【要約】【課題】口部及び蓋に傾斜突条が設けられた容器において、蓋の回転角度に対する軸方向への移動量を確保しながら、摩擦抵抗を小さくする。【解決手段】容器１の口部２０の外周面には、口部軸線直交面ｓ２に対して斜めに延びる複数の口部傾斜突条２３を形成する。蓋３０の蓋周壁３２の内周面には、蓋軸線直交面ｓ３に対して斜めに延びる複数の蓋傾斜突条３３を形成する。これら傾斜突条２３，３３の側面２３ａ，３３ａを凸曲面にする。【選択図】図１
2017186029.tif 000002
【特許請求の範囲】
【請求項１】
容器本体と、前記容器本体に設けられた筒状の口部と、前記口部に脱着されることで前記口部を開閉する蓋と、を備えた容器であって、
前記口部の外周面には、
前記口部の軸線と直交する口部軸線直交面に対して斜めに延びるとともに互いに周方向に離れて形成された複数の口部傾斜突条と、
環状の凹部又は凸部からなる第１口側嵌合部と、が形成され、
前記蓋が、前記口部の外周に嵌められる筒状の蓋周壁と、前記蓋周壁の先端部を塞ぐ蓋板部を有し、
かつ前記蓋周壁の内周面には、
前記蓋の軸線と直交する蓋軸線直交面に対して斜めに延びるとともに互いに周方向に離れて形成された複数の蓋傾斜突条と、
前記第１口側嵌合部に対して回転可能かつ着脱可能に嵌合される環状の凸部又は凹部からなる第１蓋側嵌合部と、が形成され、
前記口部傾斜突条の側面又は前記蓋傾斜突条の側面が凸曲面になっていることを特徴とする容器。
【請求項２】
前記口部の外周面における周方向に隣接する口部傾斜突条どうし間の間隔が、前記蓋の前記口部への装着時に前記蓋傾斜突条が前記口部の軸線に沿って平行移動のみでこれら口部傾斜突条どうし間に挿入可能な大きさであることを特徴とする請求項１に記載の容器。
【請求項３】
前記第１口側嵌合部が、前記口部における前記口部傾斜突条よりも先端側に配置され、かつ前記第１蓋側嵌合部が、前記蓋における前記蓋傾斜突条よりも前記蓋板部側に配置されており、
前記口部における前記口部傾斜突条よりも前記容器本体側の外周面には、環状の凸部又は凹部からなる第２口側嵌合部が形成され、
前記蓋における前記蓋傾斜突条よりも前記蓋板部とは反対側の内周面には、環状の凹部又は凸部からなる第２蓋側嵌合部が形成され、
前記蓋が前記口部への装着状態から前記口部の軸線方向へずれているときは、前記第２口側嵌合部が外部に現れ、
前記蓋が前記装着状態のとき、前記第２口側嵌合部が、前記第２蓋側嵌合部と嵌合されることによって外部から隠れることを特徴とする請求項１又は２に記載の容器。
【請求項４】
前記第２口側嵌合部と第２蓋側嵌合部との嵌合深さが、前記第１口側嵌合部と第１蓋側嵌合部との嵌合深さよりも浅いことを特徴とする請求項３に記載の容器。
【発明の詳細な説明】
【技術分野】
【０００１】
本発明は、容器本体と前記容器本体の口部を開閉する蓋を備えた容器に関し、特に蓋の少しの回転で開閉可能な容器に関する。
【背景技術】
【０００２】
この種の容器においては、蓋をあまり回転させることなく開閉可能とすることが求められる場合がある。特許文献１においては、容器本体の口部の外周及び蓋の内周にそれぞれ傾斜突条が設けられている。これら傾斜突条は、通常のネジのリード角よりも大きく傾斜されている。これら傾斜突条の案内作用によって、蓋が少しの回転で軸方向へ大きく移動することで、開閉操作されるようになっている。
【先行技術文献】
【特許文献】
【０００３】
【特許文献１】特開２００９−１７９３９１号公報
【発明の概要】
【発明が解決しようとする課題】
【０００４】
前記傾斜突条の傾斜角度を大きくすればするほど、蓋の回転角度に対する軸方向への移動量を大きくできる。しかし、前記傾斜角度が大きいと、開閉操作の摩擦抵抗が大きくなる。
本発明は、口部及び蓋に傾斜突条が設けられた容器において、蓋の回転角度に対する軸方向への移動量を確保しながら、摩擦抵抗を小さくすることを目的とする。
【課題を解決するための手段】
【０００５】
前記課題を解決するために、本発明は、容器本体と、前記容器本体に設けられた筒状の口部と、前記口部に脱着されることで前記口部を開閉する蓋と、を備えた容器であって、
前記口部の外周面には、
前記口部の軸線と直交する口部軸線直交面に対して斜めに延びるとともに互いに周方向に離れて形成された複数の口部傾斜突条と、
環状の凹部又は凸部からなる第１口側嵌合部と、が形成され、
前記蓋が、前記口部の外周に嵌められる筒状の蓋周壁と、前記蓋周壁の先端部を塞ぐ蓋板部を有し、
かつ前記蓋周壁の内周面には、
前記蓋の軸線と直交する蓋軸線直交面に対して斜めに延びるとともに互いに周方向に離れて形成された複数の蓋傾斜突条と、
前記第１口側嵌合部に対して回転可能かつ着脱可能に嵌合される環状の凸部又は凹部からなる第１蓋側嵌合部と、が形成され、
前記口部傾斜突条の側面又は前記蓋傾斜突条の側面が凸曲面になっていることを特徴とする。
【０００６】
口部傾斜突条及び蓋傾斜突条の傾斜角度を大きくすることによって、蓋の回転角度に対する軸方向への移動量を大きくでき、蓋をあまり回すことなく開け閉めできる。かつ、口部傾斜突条と蓋傾斜突条とを面接触ではなく線接触させることができるから、蓋の回転時の傾斜突条どうしの摩擦抵抗を低減できる。したがって、蓋の開閉負荷を軽減できる。
【０００７】
前記口部の外周面における周方向に隣接する口部傾斜突条どうし間の間隔が、前記蓋の前記口部への装着時に前記蓋傾斜突条が前記口部の軸線に沿って平行移動のみでこれら口部傾斜突条どうし間に挿入可能な大きさであることが好ましい。
これによって、蓋を回すことなく押し込むだけで口部に装着でき、閉蓋操作を簡易化できる。
【０００８】
前記第１口側嵌合部が、前記口部における前記口部傾斜突条よりも先端側に配置され、かつ前記第１蓋側嵌合部が、前記蓋における前記蓋傾斜突条よりも前記蓋板部側に配置されており、
前記口部における前記口部傾斜突条よりも前記容器本体側の外周面には、環状の凸部又は凹部からなる第２口側嵌合部が形成され、
前記蓋における前記蓋傾斜突条よりも前記蓋板部とは反対側の内周面には、環状の凹部又は凸部からなる第２蓋側嵌合部が形成され、
前記蓋が前記口部への装着状態から前記口部の軸線方向へずれているときは、前記第２口側嵌合部が外部に現れ、
前記蓋が前記装着状態のとき、前記第２口側嵌合部が、前記第２蓋側嵌合部と嵌合されることによって外部から隠れることが好ましい。
これによって、第２口側嵌合部が外部から視認できるか否かで、蓋が口部に完全に嵌っているか否かを容易に確認することができる。  
【０００９】
前記第２口側嵌合部と第２蓋側嵌合部との嵌合深さが、前記第１口側嵌合部と第１蓋側嵌合部との嵌合深さよりも浅いことが好ましい。
これによって、第２口側嵌合部と第２蓋側嵌合部どうしを嵌合させたり外したりする際の負荷を小さくできる。
【発明の効果】
【００１０】
本発明によれば、容器における蓋の回転角度に対する軸方向への移動量を確保しながら、傾斜突条どうしの摩擦抵抗を小さくすることができる。
【図面の簡単な説明】
【００１１】
【図１】図１（ａ）は、本発明の一実施形態に係る容器を閉蓋状態で示す斜視図である。図１（ｂ）は、前記容器の容器本体を二点鎖線にして開蓋状態で示す斜視図である。
【図２】図２は、前記容器の口部及び蓋を閉蓋状態で、かつ一部を断面にして示す正面図である。
【図３】図３は、図２のＩＩＩ−ＩＩＩ線に沿う平面断面図である。
【図４】図４は、前記容器における閉蓋操作を順追って示したものであり、同図（ａ）は、閉蓋操作の初期段階を示す正面図である。同図（ｂ）は、閉蓋操作の途中段階を示す正面図である。同図（ｃ）は、閉蓋操作の完了時を示す正面図である。
【図５】図５は、前記容器における開蓋操作を順追って示したものであり、同図（ａ）は、開蓋操作の初期段階を示す正面図である。同図（ｂ）は、開蓋操作の途中段階を示す正面図である。同図（ｃ）は、開蓋操作の終了段階を示す正面図である。
【図６】図６は、図５（ａ）のＶＩ−ＶＩ線に沿って拡大した平面断面図である。
【発明を実施するための形態】
【００１２】
以下、本発明の一実施形態を図面にしたがって説明する。
図１に示すように、容器１は、容器本体１０と、蓋３０を備えている。容器本体１０には、口部２０が設けられている。口部２０に蓋３０が脱着されることで、口部２０が開閉される。
【００１３】
図１（ｂ）に示すように、口部２０は、筒状をなし、容器本体１０の上面（１の面）から突出されている。図２及び図３に示すように、口部２０の外周面には、複数の口部傾斜突条２３が形成されている。これら口部傾斜突条２３が、互いに口部２０の周方向に離れて等間隔置きに配置されている。ここでは、４つの口部傾斜突条２３が９０°置きに配置されている。図４に示すように、周方向に隣接する口部傾斜突条２３，２３どうしの間隔は、各口部傾斜突条２３の幅（周方向に沿う寸法）よりも十分に大きい。かつ、これら隣接する口部傾斜突条２３，２３どうしの間隔は、蓋３０の閉操作時に、後記蓋傾斜突条３３が口部２０の軸線Ｌ２に沿う平行移動のみでこれら口部傾斜突条２３，２３どうし間に挿入可能な大きさになっている。
【００１４】
図２に示すように、各口部傾斜突条２３は、口部２０の軸線Ｌ２と直交する口部軸線直交面ｓ２に対して斜めに延びている。口部傾斜突条２３の口部軸線直交面ｓ２に対する傾き方向は、右ネジの傾き方向と同じであり、かつ口部傾斜突条２３の口部軸線直交面ｓ２に対する傾斜角度θ２は、右ネジの一般的なリード角よりも十分に大きい。傾斜角度θ２は、好ましくはθ２＝３０°〜７０°であり、より好ましくはθ２＝４５°程度である。口部傾斜突条２３の口部軸線直交面ｓ２に対する傾きは、口部傾斜突条２３の全長にわたって一定である。口部傾斜突条２３の先端部（容器本体１０とは反対側の端部）は、先細に尖った錐部２３ｅとなっている。
【００１５】
図６に示すように、口部傾斜突条２３の両側面２３ａ，２３ｂは、凸曲面になっている。すなわち、口部傾斜突条２３の延び方向と直交する断面の両側部が外方へ凸の曲線になっている。好ましくは、側面２３ａ，２３ｂは、インボリュート曲線状の曲面になっている。
ここで、側面２３ａは、開蓋操作時に蓋３０を開方向（図３において反時計まわり）へ回すことで後記蓋傾斜突条３３と当たる側の面である（図５（ａ））。側面２３ｂは、閉蓋操作時に蓋３０を閉方向（図３において時計まわり）へ回すことで後記蓋傾斜突条３３と当たる側の面である。
【００１６】
図２に示すように、口部２０の外周には、第１、第２の口側嵌合部２４，２５が形成されている。図４（ａ）に示すように、第１口側嵌合部２４は、口部２０における傾斜突条２３よりも先端側（同図において上側）に配置されるとともに、口部２０の外周面の全周にわたる環状の凹部になっている。
第２口側嵌合部２５は、口部２０における傾斜突条２３よりも容器本体１０側（図２において下側）に配置されるとともに、口部２０の外周面の全周にわたる環状の凸部となっている。
【００１７】
図１に示すように、蓋３０は、蓋周壁３２と、蓋板部３１を有している。蓋周壁３２は、筒状をなし、口部２０の外周に嵌められる。蓋板部３１が、蓋周壁３２の先端部（図１において上端部）を塞いでいる。蓋３０における蓋板部３１とは反対側（図１において下側）の端部は、開口されている。
【００１８】
図２及び図３に示すように、蓋周壁３２の内周面には、複数の蓋傾斜突条３３が形成されている。蓋傾斜突条３３の数は、口部傾斜突条２３の数と合致している。これら蓋傾斜突条３３が、互いに蓋３０の周方向に離れて等間隔置きに配置されている。ここでは、４つの蓋傾斜突条３３が９０°置きに配置されている。図４に示すように、周方向に隣接する蓋傾斜突条３３，３３どうしの間隔は、各蓋傾斜突条３３の幅（周方向に沿う寸法）よりも大きい。かつ、これら隣接する蓋傾斜突条３３，３３どうしの間隔は、蓋３０の閉操作時に、軸線Ｌ２に沿う平行移動のみで、これら蓋傾斜突条３３，３３どうしの間に口部傾斜突条２３を挿入可能な大きさになっている。
【００１９】
図２に示すように、各蓋傾斜突条３３は、蓋３０の軸線Ｌ３と直交する蓋軸線直交面ｓ３に対して斜めに延びている。蓋傾斜突条３３の蓋軸線直交面ｓ３に対する傾き方向は、右ネジの傾き方向と同じであり、かつ蓋傾斜突条３３の蓋軸線直交面ｓ３に対する傾斜角度θ３は、右ネジの一般的なリード角よりも十分に大きい。傾斜角度θ３は、好ましく、θ３＝３０°〜７０°であり、より好ましくはθ３＝４５°程度である。蓋傾斜突条３３の蓋軸線直交面ｓ３に対する傾きは、蓋傾斜突条３３の全長にわたって一定である。
図２に示すように、蓋傾斜突条３３における蓋開口側（図２において下側）の端部は、先細に尖った錐部３３ｅとなっている。
【００２０】
図６に示すように、蓋傾斜突条３３の両側面３３ａ，３３ｂは凸曲面になっている。すなわち、蓋傾斜突条３３の延び方向と直交する断面の両側部が外方へ凸の曲線になっている。好ましくは、側面３３ａ，３３ｂは、インボリュート曲線状の曲面になっている。
側面３３ａは、開蓋操作時に蓋３０を開方向（図３において反時計まわり）へ回すことで口部傾斜突条２３の側面２３ａと当たる。
側面３３ｂは、閉蓋操作時に蓋３０を閉方向（図３において時計まわり）へ回すことで口部傾斜突条２３の側面２３ｂと当たる。
【００２１】
図２及び図４（ａ）に示すように、蓋周壁３２の内周には、第１、第２の蓋側嵌合部３４，３５が形成されている。第１蓋側嵌合部３４は、蓋周壁３２における蓋傾斜突条３３よりも蓋板部３１側（図２において上側）に配置されるとともに、蓋３０の全周にわたる環状の凸部になっている。
第２蓋側嵌合部３５は、蓋周壁３２における傾斜突条３３よりも蓋３０の開口部側（図２において下側）に配置されるとともに、蓋３０の全周にわたる環状の凹部になっている。
【００２２】
図２に示すように、蓋板部３１の内面（図２において下面）には、シール部材３６が設けられている。蓋板部３１の内面と蓋周壁３２の内周面との角部付近には、シール係止部３７が設けられている。このシール係止部３７によってシール部材３６の周縁部が係止されている。
なお、シール部材３６を二色成形によって蓋３０と一体成形してもよい。
【００２３】
図２及び図４（ｃ）に示すように、蓋３０を口部２０に装着した状態（閉蓋状態）では、口部２０の先端部（図２において上端部）が、シール部材３６に押し当てられている。これによって、蓋３０と口部２０との間がシールされる。
【００２４】
また、閉蓋状態では、第１蓋側嵌合部３４が第１口側嵌合部２４に嵌っている。かつ、第２蓋側嵌合部３５に第２口側嵌合部２５が嵌っている。第１蓋側嵌合部３４と第１口側嵌合部２４の嵌合深さは、第２口側嵌合部２５と第２蓋側嵌合部３５との嵌合深さよりも大きい。
【００２５】
更に、図３に示すように、閉蓋状態においては、各蓋傾斜突条３３が、口部２０の周方向に隣接する２つの口部傾斜突条２３，２３どうしの間に配置されている。この閉蓋状態において、蓋３０が、口部２０に対して、口部傾斜突条２３の配置ピッチと対応する角度だけ空回り（自由回転）可能である。
図２に示すように、閉蓋状態においては、蓋３０の錐部３３ｅが、口部傾斜突条２３の容器本体１０側（図２において下側）の端部よりも口部２０の先端側（図２において上側）に位置している。また、口部２０の錐部２３ｅが、蓋傾斜突条３３の蓋板部３１側（図２において上側）の端部よりも蓋開口側（図２において下側）に位置している。
【００２６】
図４（ｂ）に示すように、蓋３０が口部２０への装着の途中段階で、装着状態（図４（ｃ））よりも軸線Ｌ２方向の上方へずれているときは、第２口側嵌合部２５が、蓋３０よりも下方に位置することで外部に現れている。
図４（ｃ）に示すように、蓋３０が装着状態（閉蓋状態）のとき、第２口側嵌合部２５が、第２蓋側嵌合部３５と嵌合されることによって外部から隠れる。
【００２７】
蓋３０は、次のようにして口部２０に着脱される。
＜閉蓋操作＞
図４（ａ）に示すように、蓋３０を口部２０に装着（閉蓋）する際は、蓋３０を口部２０と対向させる。好ましくは、蓋傾斜突条３３が、隣接する口部傾斜突条２３，２３どうしの中間に位置するように、蓋３０の口部２０に対する軸線Ｌ２まわりの角度を調節する。
そして、図４（ａ）〜図４（ｂ）に示すように、蓋３０を口部２０へ真っ直ぐ移動させることで、蓋周壁３２を口部２０の外周に嵌め込む。このとき、蓋傾斜突条３３は、口部２０の軸線方向に平行移動しながら、隣接する口部傾斜突条２３，２３どうし間に挿し入れられる。口部傾斜突条２３の配置間隔を大きく設定することよって、挿し入れ途中に蓋傾斜突条３３が口部傾斜突条２３に突き当たるのを回避できる。
【００２８】
図４（ｂ）に示すように、蓋３０の装着途中段階では、第２口側嵌合部２５を外部から視認できる。これによって、蓋３０が閉まり切っていないことを簡単に確認できる。
更に、蓋３０を真っ直ぐ口部２０へ押し込むことで、図４（ｃ）に示すように、第１蓋側嵌合部３４が第１口側嵌合部２４に嵌る。これによって、蓋３０を回すことなく短時間で口部２０に装着できる。
第１蓋側嵌合部３４が第１口側嵌合部２４に嵌ると同時に、第２蓋側嵌合部３５に第２口側嵌合部２５が嵌ることで、第２口側嵌合部２５が外部から見えなくなる。これによって、蓋３０が口部２０に完全に嵌ったことを確認できる。  
【００２９】
なお、蓋３０の口部２０に対する軸線Ｌ２まわりの角度によっては、蓋３０の嵌め込み途中で、蓋傾斜突条３３が口部傾斜突条２３に突き当たる場合がある。その場合には、蓋３０を押し込みながら閉方向（図３において時計回り）に回すことで、蓋傾斜突条３３の側面３３ｂを口部傾斜突条２３の側面２３ｂに沿って摺動させる。これら側面３３ｂ，２３ｂが凸曲面になっているために、摩擦抵抗を低減できる。
【００３０】
＜開蓋操作＞
蓋３０を口部２０から外す際（開蓋時）は、蓋３０を開方向（図３において反時計回り）へ回す。当初、傾斜突条２３，３３どうしが離れている場合は、その離間距離分だけ蓋３０が空回りする。
やがて、図５（ａ）及び図６に示すように、蓋傾斜突条３３の側面３３ａが口部傾斜突条２３の側面２３ａに当たる。
【００３１】
図５（ｂ）に示すように、蓋３０を更に開方向へ回すと、蓋傾斜突条３３の側面３３ａが口部傾斜突条２３の側面２３ｂに沿って摺動し、これら側面３３ａ，２３ａどうしの案内作用によって、蓋３０が軸線方向に沿って容器本体１０から離れる向き（図５（ｂ）において上方）へ移動される。この移動によって、第１蓋側嵌合部３４が第１口側嵌合部２４から外れる。かつ、第２蓋側嵌合部３５が第２口側嵌合部２５から外れる。
傾斜突条２３，３３の傾斜角度θ２，θ３（図２）が通常のネジのリード角より大きいために、蓋３０の回転量に対して蓋３０の軸線方向への移動量を大きくできる。したがって、蓋３０を少し回すだけで、嵌合部２４，３４；２５，３５どうしの嵌合を解除できる。このとき、蓋側嵌合部３４，３５は、回転しながら口側嵌合部２４，２５から抜け出るため、嵌合の解除抵抗を小さくできる。
しかも、側面３３ａ，２３ａが凸曲面になっているために、口部傾斜突条２３と蓋傾斜突条３３とを面接触ではなく線接触させることができる。したがって、傾斜突条２３，３３どうしの摺動抵抗を低減できる。ひいては、嵌合部２４，３４；２５，３５どうしの嵌合解除抵抗を一層小さくできる。
【００３２】
図５（ｃ）に示すように、嵌合部２４，３４；２５，３５どうしの嵌合解除後は、蓋３０を軸線方向に沿って開蓋側（図５（ｃ）において上側）へ真っ直ぐ平行移動させてもよく、或いは、蓋３０を更に開方向へ回すことで傾斜突条３３，２３どうしの案内作用によって開蓋側（上側）へ移動させてもよい。蓋３０を更に開方向へ回す場合でも、蓋３０を少し回すだけで、容器本体１０とは反対側（上側）へ大きく移動させることができる。
この結果、蓋３０をあまり回すことなく、素早く、かつ容易に口部２０から外すことができる。開蓋操作に要する蓋３０の回転角度は、最大でも例えば９０°程度である。したがって、手首を返して蓋３０をつかみ直す必要が無い。
【００３３】
本発明は、上記実施形態に限定されるものではなく、その趣旨に反しない範囲内で種々の改変をなすことができる。
例えば、口部傾斜突条２３及び蓋傾斜突条３３の数は、それぞれ２つ〜３つでもよく、５つ以上でもよい。
口部傾斜突条２３の口部軸線直交面ｓ２に対する傾きが、容器本体１０に近づくにしたがって小さくなっていてもよい。同様に、蓋傾斜突条３３の蓋軸線直交面ｓ３に対する傾きが、蓋板部３１から遠ざかるにしたがって小さくなっていてもよい。
傾斜突条２３，３３の軸線直交面ｓ２，ｓ３に対する傾き方向が、左ネジの傾き方向と同じであってもよい。
口部傾斜突条２３の側面２３ａ，３３ａ及び蓋傾斜突条３３の側面３３ａ，３３ｂは、凸曲面になっていればよく、必ずしもインボリュート曲線状の凸曲面である必要はない。更には、傾斜突条２３，３３の側面２３ａ，３３ａのうち少なくとも一方が凸曲面であればよく、これら側面２３ａ，３３ａの他方は平坦面であってもよい。
口部傾斜突条２３の両側面２３ａ，２３ｂ及び蓋傾斜突条３３の両側面３３ａ，３３ｂのうち、少なくとも蓋３０を開けるときに互いに押し当たる側面２３ａ，３３ａどうしが、凸曲面であればよい。
第１口側嵌合部２４が環状の凸部であり、第１蓋側嵌合部３４が環状の凹部であってもよい。
第２口側嵌合部２５が環状の凹部であり、第２蓋側嵌合部３５が環状の凸部であってもよい。
第２口側嵌合部２５及び第２蓋側嵌合部３５を省略してもよい。
第１口側嵌合部２４が、口部２０における口部斜突条２３よりも容器本体１０側（図２において下側）に配置されていてもよい。第１蓋側嵌合部３４が、蓋３０における蓋傾斜突条３３よりも蓋開口側（図２において下側）に配置されていてもよい。
蓋板部３１の上面には、開方向及び閉方向を示す表示を設けてもよい。
蓋板部３１の内面にシール用インナーリングを設けてもよい。蓋３０を口部２０へ装着すると、前記シール用インナーリングが口部２０の先端部の周側面に押し当てられることによって、蓋３０と口部２０との間がシールされるようにしてもよい。
【産業上の利用可能性】
【００３４】
本発明は、容器の蓋構造に適用できる。
【符号の説明】
【００３５】
Ｌ２        口部軸線
Ｌ３        蓋軸線
ｓ２        口部軸線直交面
ｓ３        蓋軸線直交面
１          容器
１０        容器本体
２０        口部
２３        口部傾斜突条
２３ａ      側面
２３ｂ      側面
２４        第１口側嵌合部
２５        第２口側嵌合部
３０        蓋
３１        蓋板部
３２        蓋周壁
３３        蓋傾斜突条
３３ａ      側面
３３ｂ      側面
３４        第１蓋側嵌合部
３５        第２蓋側嵌合部
【図１】
2017186029.tif 000003
【図２】
2017186029.tif 000004
【図３】
2017186029.tif 000005
【図４】
2017186029.tif 000006
【図５】
2017186029.tif 000007
【図６】
2017186029.tif 000008